(57)【要約】【課題】玉掛け作業における禁則作業である１本吊り作業を安全に体験し、その危険性に対する予知能力を確実に習得することができる玉掛け作業体験装置を提供する。【解決手段】玉掛け作業体験装置１００は、支持部材１０上に蝶番機構１１を介して起伏可能に取り付けられた吊り荷部材１２と、吊り荷部材１２に係止した紐状体１３を介して吊り荷部材１２を起伏動作させる昇降機構１４と、を備えている。また、蝶番機構１１を中心とする吊り荷部材１２の起伏動作に伴って当該吊り荷部材１２の一部である端面部１２ｂが接近離隔する位置に障害部材１５が設けられ、吊り荷部材１１の端面部１２ａが障害部材１５に接近したとき両者間に挟まれる被圧部材１６が障害部材１５に着脱可能に取り付けられている。【選択図】図１
2014066829.tif 000002
【特許請求の範囲】
【請求項１】
支持手段に蝶番機構を介して起伏可能に取り付けられた吊り荷部材と、前記吊り荷部材に係止した紐状体を介して前記吊り荷部材を起伏動作させる昇降機構と、を備えた玉掛け作業体験装置。
【請求項２】
前記蝶番機構を中心とする前記吊り荷部材の起伏動作に伴って当該吊り荷部材の一部が接近離隔する位置に障害部材を設けた請求項１記載の玉掛け作業体験装置。
【請求項３】
前記吊り荷部材の一部が前記障害部材に接近したとき両者間に挟まれる被圧部材を設けた請求項２記載の玉掛け作業体験装置。
【請求項４】
前記吊り荷部材の倒伏速度を緩和する緩衝機構を設けた請求項１〜３のいずれかに記載の玉掛け作業体験装置。
【請求項５】
前記吊り荷部材の倒伏動作に伴って警報音を発する警報機構を設けた請求項１〜４のいずれかに記載の玉掛け作業体験装置。
【発明の詳細な説明】
【技術分野】
【０００１】
本発明は、玉掛け作業の講習会などにおいて、受講者が玉掛け作業の模擬実習を行う際に使用する玉掛け作業体験装置に関する。
【背景技術】
【０００２】
ワイヤーロープやチェーンなどで荷物をクレーンやチェーンブロックなどのフックに掛ける玉掛け作業は、誤った吊り方をすると、危険性を伴う作業である。このため、危険性に対する作業者の予知能力を高めることにより事故防止を図ることを目的として、玉掛け作業に従事しようとする者に対する事前の安全教育である玉掛け講習会や玉掛け技能講習などが開催されている。
【０００３】
玉掛け講習会などにおいては、所定のプログラムなどに従って、専門講師による学科講習が行われるとともに、実際の玉掛け作業に供されているクレーン、ワイヤーロープ及び荷物（吊り荷）などを使用して受講者が玉掛けの模擬作業を体験するようになっていることが多い。
【０００４】
一方、本発明に関連する先行技術として、例えば、特許文献１記載の「吊荷ハンドリング模擬実習装置」がある。この「吊荷ハンドリング模擬実習装置」は、製造ラインなどに供されているクレーンやホイストなどの実機を使用することなく、玉掛け模擬実習を行うことを目的として開発されたものであり、実機と同様のクレーンやチェーンブロックなどが備えられている。
【先行技術文献】
【特許文献】
【０００５】
【特許文献１】特開２００３−５６２１号公報
【発明の概要】
【発明が解決しようとする課題】
【０００６】
従来の玉掛け講習会などで行われている、実機クレーンなどを用いた玉掛け模擬作業は実際の玉掛け作業と同様の状態で玉掛け作業を体験することができる点は長所である。しかしながら、図８に示すような、玉掛け作業上の禁則作業である「１本吊り作業」を実行すると、危険な状況が生じるおそれがある。即ち、図８に示すように、鋼管などの吊り荷８０の周囲に１本のワイヤーロープ８１を巻き付け、このワイヤーロープ８１をクレーン（図示せず）などのフック８２に掛けて吊り上げる作業（「１本吊り作業」）を受講者が実行すると、実際の現場にて「１本吊り作業」を行ったときと同様に、吊り荷８０が傾斜したり、回転したりする危険な状況が生じることがある。
【０００７】
従って、玉掛け講習会において、実機クレーンなどを使用して、禁則作業である「１本吊り作業」を受講者に体験させることは、安全確保の面から回避せざるを得ないのが実状である。このため、禁則作業の危険性に対する作業者の予知能力を高めて事故防止を図るという観点からは十分な教育効果が得られていないという指摘がある。
【０００８】
一方、特許文献１に記載されている「吊荷ハンドリング模擬実習装置」を使用して「１本吊り作業」を行った場合も同様に、図８に示すように、吊り荷８０の傾斜や回転などの危険な現象が発生する可能性が高いので、模擬実習として受講者に「１本吊り作業」を体験させることは回避されている。
【０００９】
そこで、本発明が解決しようとする課題は、玉掛け作業における禁則作業である１本吊り作業を安全に体験し、その危険性に対する予知能力を確実に習得することができる玉掛け作業体験装置を提供することにある。
【課題を解決するための手段】
【００１０】
本発明の玉掛け作業体験装置は、支持手段に蝶番機構を介して起伏可能に取り付けられた吊り荷部材と、前記吊り荷部材に係止した紐状体を介して前記吊り荷部材を起伏動作させる昇降機構と、を備えたことを特徴とする。ここで、支持手段とは、地盤、床面、支持部材、支持盤、支持構造体、車体、船体、機体あるいは建築物の躯体など蝶番機構を介して前記吊り荷部材を起伏可能に支持することができるものをいい、紐状体とは、ワイヤーロープ、チェーンなど、吊り荷部材に係止して、これを吊り上げることのできる可撓性の部材をいう。
【００１１】
このような構成とすれば、玉掛け講習会の受講者などが、前記紐状体を前記吊り荷部材に係止して、前記昇降機構を用いて吊り荷部材を吊り上げると、吊り荷部材は蝶番機構を中心に起き上がり、傾斜した状態となるので、所謂「１本吊り作業」の状態とすることができる。このとき、吊り荷部材は蝶番機構を介して支持部材上に取り付けられているので、一定の傾斜姿勢に安定保持され、搖動したり、回転したりすることがない。
【００１２】
このため、受講者は、玉掛け作業における禁則作業である１本吊り作業を安全に体験することができる。また、前述したように昇降機構で吊り荷部材を吊り上げたとき、紐状体及び吊り荷部材などは「１本吊り作業」を行ったときと同じ状況となり、「１本吊り作業」が再現されるので、受講者は、「１本吊り作業」の危険性に対する予知能力を確実に習得することができる。
【００１３】
ここで、前記蝶番機構を中心とする前記吊り荷部材の起伏動作に伴って当該吊り荷部材の一部が接近離隔する位置に障害部材を設けることが望ましい。
【００１４】
このような構成とすれば、「１本吊り作業」を行った場合、吊り上げられる吊り荷部材と障害部材との間に、身体の一部や物品などが挟まれる事故が発生する危険性があることを、視覚をもって認識することができるので、受講者が「１本吊り作業」の危険性に対する予知能力を習得する上で有効である。
【００１５】
この場合、前記吊り荷部材の一部が前記障害部材に接近したとき両者間に挟まれる被圧部材を設けることが望ましい。
【００１６】
このような構成とすれば、吊り上げられる吊り荷部材と障害部材との間に、身体の一部や物品などが挟まれたときの状況をさらにリアルに再現することができるので、「１本吊り作業」の危険性を、より確実に習得することができる。
【００１７】
一方、前記吊り荷部材の倒伏速度を緩和する緩衝機構を設けることができる。このような構成とすれば、昇降機構で吊り上げられた吊り荷部材を元の姿勢に戻すとき、遅い速度で倒伏させることができるので、安全性が向上する。
【００１８】
さらに、前記吊り荷部材の倒伏動作に伴って警報音を発する警報機構を設けることもできる。このような構成とすれば、昇降機構で吊り上げられた吊り荷部材の倒伏動作が開始したことを周囲に居る者に警報音で通報して、注意を喚起することができるので、安全性確保の観点から有効である。
【発明の効果】
【００１９】
本発明により、玉掛け作業における禁則作業である１本吊り作業を安全に体験し、その危険性に対する予知能力を確実に習得することができる玉掛け作業体験装置を提供することができる。
【図面の簡単な説明】
【００２０】
【図１】本発明の実施形態である玉掛け作業体験装置を示す一部省略正面図である。
【図２】図１に示す玉掛け作業体験装置の一部省略平面図である。
【図３】図１中のＡ−Ａ線における断面図である。
【図４】図１中のＢ−Ｂ線における断面図である。
【図５】図１に示す玉掛け作業体験装置を構成する吊り荷部材の起伏機能を示す正面図である。
【図６】図１に示す玉掛け作業体験装置の一部切欠正面図である。
【図７】図１に示す玉掛け作業体験装置の一部切欠正面図である。
【図８】玉掛け作業における禁則作業である一本吊り作業を示す一部省略斜視図である。
【発明を実施するための形態】
【００２１】
以下、図１〜図７に基づいて本発明の実施形態について説明する。図１〜図５に示すように、本実施形態の玉掛け作業体験装置１００は、支持手段の一つである支持部材１０上に蝶番機構１１を介して起伏可能に取り付けられた吊り荷部材１２と、吊り荷部材１２に係止した紐状体１３を介して吊り荷部材１２を起伏動作させる昇降機構１４と、を備えている。なお、支持手段は支持部材１０に限定しないので、蝶番機構１１を介して吊り荷部材１２を起伏可能に支持することができるものであれば、例えば、地盤、床面、支持部材、支持盤、支持構造体、車体、船体、機体あるいは建築物の躯体などを用いることもできる。
【００２２】
支持部材１０はＨ形鋼を縦横に組み合わせて接合して形成された平面視形状が梯子状の部材であり、吊り荷部材１２は、所定長さの円筒体１２ｘの両端の開口部１２ｙを円板状の隔壁１２ａ，１２ｂで閉塞することによって形成された空洞状の部材である。吊り荷部材１２の外周面には、紐状体１３を巻き付けて係止するのに適切な領域を示すための破線状の標線Ｌ１，Ｌ２が周方向に沿って描かれている。標線Ｌ１，Ｌ２は吊り荷部材１２の軸心１２ｃ方向の中心付近に所定間隔をおいて表示され、標線Ｌ１，Ｌ２の間に吊り荷部材１２の重心（図示せず）が位置している。
【００２３】
また、蝶番機構１１を中心とする吊り荷部材１２の起伏動作に伴って当該吊り荷部材１２の一部をなす隔壁１２ｂが接近離隔する位置に一対の障害部材１５が設けられている。二つの障害部材１５は支持部材１０の蝶番機構１１側の端部１０ｂに吊り荷部材１２の軸心１２ｃを挟んで互いに平行をなし、起立した状態で固定されている。
【００２４】
吊り荷部材１１の隔壁１２ｂが障害部材１５に接近したとき両者間（隔壁１２ｂと障害部材１５との間）に挟まれる半円柱形状の被圧部材１６が障害部材１５に複数のネジ１９を用いて着脱可能に取り付けられている。被圧部材１６は、隔壁１２ｂ及び障害部材１５よりも軟質の材料で形成されている。なお、障害部材１５に限定しないので、被圧部材１６を保持できるものであれば、障害部材１５以外のもの、例えば、建築物の躯体や壁面あるいは構造体などを用いることもできる。
【００２５】
図３及び図５〜図７に示すように、吊り荷部材１２の倒伏速度を緩和する緩衝機構であるエアシリンダ１７が、支持部材１０の蝶番機構１１と反対側の端部１０ａに、支持部材１０とエアシリンダ１７とを互いに接近離隔可能に連接する状態で配置されている。エアシリンダ１７の下端部１７ｂは支持部材１０の端部１０ａ上に固定された取付部材１８ｂに回動可能に軸支され、エアシリンダ１７の上端部１７ａ側は、吊り荷部材１２の最下部に開設された孔部１２ｚを貫通して吊り荷部材１２内に挿入され、吊り荷部材１２内周面の最上部に固定された取付部材１８ａに上端部１７ａが回動可能に軸支されている。
【００２６】
図６，図７に示すように、蝶番機構１１を中心とする吊り荷部材１２の起伏動作に伴い、エアシリンダ１７はその長手方向に伸縮可能であり、伸展したエアシリンダ１７が収縮するときに減衰機能を発揮する。また、吊り荷部材１２の倒伏動作に伴って音声を発する警報機構である警笛２０がエアシリンダ１７の下端部１７ｂ側に付設されている。警笛２０は、吊り荷部材１２の倒伏動作に伴ってエアリンダ１７が収縮する際に、当該エアシリンダ１７から排出されるエアによって吹鳴して警報音を発する機能を有する。
【００２７】
図１，図６に示すように、玉掛け作業体験装置１００において、玉掛け講習会の受講者などが、紐状体１３を吊り荷部材１２の周囲に巻き付けて係止し、その上端部を昇降機構１４のフック１４ａに引き掛けた後、昇降機構１４を作動させ、図７に示すように、吊り荷部材１２を吊り上げると、吊り荷部材１２は蝶番機構１１を中心に起き上がり、傾斜した状態となり、所謂「１本吊り作業」の状態を再現することができる。このとき、吊り荷部材１２は蝶番機構１１を介して支持部材１０上に取り付けられているので、吊り荷部材１２は一定の傾斜姿勢に安定保持され、搖動したり、回転したりすることがない。
【００２８】
このため、受講者は、玉掛け作業における禁則作業である「１本吊り作業」を安全に体験することができる。また、昇降機構１４で吊り荷部材１２を吊り上げたとき、紐状体１３及び吊り荷部材１２などは「１本吊り作業」を行ったときと同じ状況となり、「１本吊り作業」が再現されるので、受講者は、「１本吊り作業」の危険性に対する予知能力を確実に習得することができる。
【００２９】
また、蝶番機構１１を中心とする吊り荷部材１２の起伏動作に伴って当該吊り荷部材１２の一方の隔壁１２ｂが接近離隔する位置に障害部材１５を設けたことにより、「１本吊り作業」を行った場合、吊り上げられる吊り荷部材１２の隔壁１２ｂと障害部材１５との間に、身体の一部や物品などが挟まれる事故が発生する危険性があることを、視覚をもって認識することができるので、受講者が「１本吊り作業」の危険性に対する予知能力を習得する上で有効である。
【００３０】
さらに、玉掛け作業体験装置１００においては、吊り荷部材１２の隔壁１２ｂが障害部材１５に接近したとき両者間に挟まれる被圧部材１６を設けているので、吊り上げられる吊り荷部材１２と障害部材１５との間に、身体の一部や物品などが挟まれたときの状況をさらにリアルに再現することができ、「１本吊り作業」の危険性を、より確実に習得することができる。
【００３１】
一方、吊り荷部材１２の倒伏速度を緩和するエアシリンダ１７を設けたことにより、昇降機構１４で吊り上げられた吊り荷部材１２を元の姿勢に戻すとき、遅い速度で倒伏させることができるので、安全性の確保に有効である。
【００３２】
また、吊り荷部材１２の倒伏動作に伴って警報音を発する警笛２０を設けたことにより、昇降機構１４で吊り上げられた吊り荷部材１２の倒伏動作を開始したとき、そのことを周囲に居る者に警報音で通報して、注意を喚起することができるので、安全性確保の観点から有効である。
【００３３】
なお、図１〜図７に基づいて説明した玉掛け作業体験装置１００は、本発明の一例を示すものであり、本発明の玉掛け作業体験装置は前述した玉掛け作業体験装置１００に限定されない。
【産業上の利用可能性】
【００３４】
本発明の玉掛け作業体験装置は、各種機械金属産業あるいは様々な製造業などの分野において玉掛け作業を行う従業員などが受講する玉掛け講習会や玉掛け技能講習などにて広く利用することができる。
【符号の説明】
【００３５】
１０  支持部材
１０ａ，１０ｂ  端部
１１  蝶番機構
１２  吊り荷部材
１２ａ，１２ｂ  隔壁
１２ｃ  軸心
１２ｘ  円筒体
１２ｙ  開口部
１２ｚ  孔部
１３  紐状体
１４  昇降機構
１４ａ  フック
１５  障害部材
１６  被圧部材
１７  エアシリンダ
１７ａ  上端部
１７ｂ  下端部
１８ａ，１８ｂ  取付部材
１９  ネジ
２０  警笛
【図１】
2014066829.tif 000003
【図２】
2014066829.tif 000004
【図３】
2014066829.tif 000005
【図４】
2014066829.tif 000006
【図５】
2014066829.tif 000007
【図６】
2014066829.tif 000008
【図７】
2014066829.tif 000009
【図８】
2014066829.tif 000010